(57)【要約】【課題】小型化に対応しつつインバータ回路の停止時に電界効果トランジスタをともにオフさせることが可能な放電灯点灯装置を提供する。【解決手段】互いに異なる少なくとも３つの電圧状態を有する発振信号を出力可能な制御回路16を備える。制御回路16から出力した発振信号の異なる電圧状態に応じて、電界効果トランジスタを交互にオンオフさせる制御と電界効果トランジスタをともにオフさせる制御とが可能なドライバ回路17を制御回路16と１つの信号線18により接続する。電界効果トランジスタをともに停止させるための停止制御用の端子などをドライバ回路17側に別途設けることなく小型化に対応しつつ、電界効果トランジスタをインバータ回路の停止時にともにオフさせることが可能になる。【選択図】図１
2010061937.tif 000002
【特許請求の範囲】
【請求項１】
直流電源と；
対をなすスイッチング素子を有し、これらスイッチング素子のスイッチング動作により直流電源からの直流出力を交流に変換するインバータ回路と；
負荷にインバータ回路の出力周波数に応じた電圧を印加する共振回路と；
互いに異なる少なくとも３つの電圧状態を有する発振信号を出力可能な制御回路と；
この制御回路と１つの信号線により接続され、この信号線を介して制御回路から出力された発振信号の異なる電圧状態に応じて、スイッチング素子を交互にオンオフさせる制御とスイッチング素子をともにオフさせる制御とが可能なドライバ回路と；
を具備していることを特徴とする負荷制御装置。
【請求項２】
ドライバ回路は、
信号線を介して制御回路から出力された発振信号の最も低い電圧状態に基づき、対をなすスイッチング素子をともにオフさせる第１閾値が設定された第１コンパレータと、
第１閾値よりも大きく、信号線を介して制御回路から出力された発振信号の残りの他の電圧状態に基づき、対をなすスイッチング素子を選択的にオンさせる第２閾値が設定された第２コンパレータとを備えている
ことを特徴とする請求項１記載の負荷制御装置。
【請求項３】
制御回路は、
対をなす制御用スイッチング素子を有し、これら制御用スイッチング素子のスイッチング動作により発振信号を出力する出力回路と、
この出力回路の低圧側の制御用スイッチング素子に対して接続され、この低圧側の制御用スイッチング素子を介して信号線から出力される発振信号を第１閾値よりも大きく第２閾値以下の所定のバッファ電圧とするバッファ部と、
所定の信号によりバッファ部のバッファ電圧をキャンセルし、低圧側の制御用スイッチング素子を介して信号線から出力される発振信号を第１閾値以下の電圧状態とするキャンセル部とを備えている
ことを特徴とする請求項２記載の負荷制御装置。
【請求項４】
負荷としての放電灯が装着可能な器具本体と；
放電灯を点灯させる請求項１ないし３いずれか一記載の負荷制御装置と；
を具備していることを特徴とする照明器具。
【発明の詳細な説明】
【技術分野】
【０００１】
本発明は、インバータ回路の対をなすスイッチング素子を交互にオンオフさせる制御が可能なドライバ回路を有する負荷制御装置およびこれを備えた照明器具に関する。
【背景技術】
【０００２】
従来、この種の負荷制御装置としての放電灯点灯装置は、例えば、交流、あるいは直流の入力電源を平滑および昇圧あるいは降圧して得た直流電圧を交流電圧に変換するハーフブリッジ形のインバータ回路と、このインバータ回路の出力間に接続されインダクタおよびコンデンサを備えたＬＣ共振回路とを備えており、このＬＣ共振回路の共振作用によって、このＬＣ共振回路の出力側に装着した熱陰極型の放電灯を始動、点灯させている。
【０００３】
このようなインバータ回路の２つのスイッチング素子である電界効果トランジスタ(ＦＥＴ)は、制御回路である制御ＩＣからの発振信号によりドライバ回路であるドライバＩＣを介して駆動される。具体的に、１つの発振信号で電界効果トランジスタを駆動する場合、制御ＩＣからドライバＩＣへの発振信号がハイレベルの場合にはハイサイドの電界効果トランジスタがオンし、制御ＩＣからドライバＩＣへの発振信号がローレベルの場合にはローサイドの電界効果トランジスタがオンする(例えば、特許文献１参照。)。
【特許文献１】特開２００６−１７２８８３号公報(第５−７頁、図１)
【発明の開示】
【発明が解決しようとする課題】
【０００４】
しかしながら、上述の放電灯点灯装置では、インバータ回路を停止させる際に、ドライバＩＣへの発振信号をハイレベルで停止させた場合にはハイサイドの電界効果トランジスタがオンした状態で停止し、ドライバＩＣへの発振信号をローレベルの状態で停止させた場合にはローサイドの電界効果トランジスタがオンした状態で停止するなど、いずれか一方の電界効果トランジスタが必ずオンした状態で停止するという問題を有している。
【０００５】
また、各電界効果トランジスタを同時に停止する入力端子をドライバＩＣ側に設けることも考えられるものの、この場合、ドライバＩＣ側のピン数が増加し、小型化に適さないという問題がある。
【０００６】
本発明は、このような点に鑑みなされたもので、小型化に対応しつつインバータ回路の停止時にスイッチング素子をともにオフさせることが可能な負荷制御装置およびこれを備えた照明器具を提供することを目的とする。
【課題を解決するための手段】
【０００７】
請求項１記載の負荷制御装置は、直流電源と；対をなすスイッチング素子を有し、これらスイッチング素子のスイッチング動作により直流電源からの直流出力を交流に変換するインバータ回路と；負荷にインバータ回路の出力周波数に応じた電圧を印加する共振回路と；互いに異なる少なくとも３つの電圧状態を有する発振信号を出力可能な制御回路と；この制御回路と１つの信号線により接続され、この信号線を介して制御回路から出力された発振信号の異なる電圧状態に応じて、スイッチング素子を交互にオンオフさせる制御とスイッチング素子をともにオフさせる制御とが可能なドライバ回路と；を具備しているものである。
【０００８】
直流電源は、例えば電池電源および整流化直流電源のいずれであってもよい。また、整流化直流電源の場合、平滑化および非平滑化直流電源のいずれであってもよい。さらに、所望により整流化直流電源に直流チョッパなどのスイッチングレギュレータからなる直流−直流コンバータを組み合わせることができる。
【０００９】
インバータ回路は、例えば電界効果トランジスタなどの対をなすスイッチング素子の動作により直流電圧を高周波電圧に変換して出力できれば、ハーフブリッジ形、フルブリッジ形などいずれでもよい。
【００１０】
共振回路は、例えばインダクタおよびコンデンサなどを備え、印加されたインバータ回路の出力を共振により波形変換するとともに、共振の程度を加減して負荷の各種動作モードに応じた所要の電圧を負荷に印加する。
【００１１】
負荷は、例えば熱陰極形蛍光ランプや高圧放電灯などの放電灯があるがこれらに限定されない。
【００１２】
制御回路は、例えばＣＰＵおよびＲＡＭなどを備えソフトウェアによって制御されるものでもよく、あるいは、半導体集積回路をハード的に構成してもよい。
【００１３】
ドライバ回路は、例えば発振器を内部に有さない単ドライバである。
【００１４】
請求項２記載の負荷制御装置は、請求項１記載の負荷制御装置において、ドライバ回路は、信号線を介して制御回路から出力された発振信号の最も低い電圧状態に基づき、対をなすスイッチング素子をともにオフさせる第１閾値が設定された第１コンパレータと、第１閾値よりも大きく、信号線を介して制御回路から出力された発振信号の残りの他の電圧状態に基づき、対をなすスイッチング素子を選択的にオンさせる第２閾値が設定された第２コンパレータとを備えているものである。
【００１５】
発振信号の最も低い電圧状態とは、例えば発振信号が０．５Ｖ以下など、グランドレベルである状態をいう。
【００１６】
発振信号の残りの他の電圧状態とは、例えば発振信号が１．５Ｖおよび５Ｖなどである状態をいう。
【００１７】
第２閾値は、第２コンパレータの基準電圧となるものである。
【００１８】
請求項３記載の負荷制御装置は、請求項２記載の負荷制御装置において、制御回路は、対をなす制御用スイッチング素子を有し、これら制御用スイッチング素子のスイッチング動作により発振信号を出力する出力回路と、この出力回路の低圧側の制御用スイッチング素子に対して接続され、この低圧側の制御用スイッチング素子を介して信号線から出力される発振信号を第１閾値よりも大きく第２閾値以下の所定のバッファ電圧とするバッファ部と、所定の信号によりバッファ部のバッファ電圧をキャンセルし、低圧側の制御用スイッチング素子を介して信号線から出力される発振信号を第１閾値以下の電圧状態とするキャンセル部とを備えているものである。
【００１９】
出力回路は、例えば電界効果トランジスタなどの対をなす制御用スイッチング素子をトーテンポール状に有するトーテンポール回路などである。
【００２０】
バッファ部は、例えば低圧側の制御用スイッチング素子に対して直列に接続されたバッファ用スイッチング素子をバッファによりスイッチングするものである。
【００２１】
キャンセル部は、例えば制御回路の出力側とグランド電位との間に、低圧側の制御用スイッチング素子と並列に接続されている電界効果トランジスタなどのキャンセル用スイッチング素子などである。
【００２２】
請求項４記載の照明器具は、負荷としての放電灯が装着可能な器具本体と；放電灯を点灯させる請求項１ないし３いずれか一記載の負荷制御装置と；を具備しているものである。
【発明の効果】
【００２３】
請求項１記載の負荷制御装置によれば、制御回路とドライバ回路とを１つの信号線により接続し、制御回路から出力された発信信号の少なくとも３つの異なる電圧状態に応じて、ドライバ回路でスイッチング素子を交互にオンオフさせる制御とスイッチング素子をともにオフさせる制御とを可能とすることにより、対をなすスイッチング素子をともに停止させるための停止制御用の端子などをドライバ回路側に別途設けることなく小型化に対応しつつ、対をなすスイッチング素子をインバータ回路の停止時にともにオフさせることが可能になる。
【００２４】
請求項２記載の負荷制御装置によれば、請求項１記載の負荷制御装置の効果に加えて、第１閾値を設定した第１コンパレータにより、信号線を介して制御回路から出力された発振信号の最も低い電圧状態に基づいて対をなすスイッチング素子をともにオフさせ、第１閾値よりも大きい第２閾値を設定した第２コンパレータにより、信号線を介して制御回路から出力された発振信号の残りの他の電圧状態に基づいて対をなすスイッチング素子を選択的にオンさせることで、制御回路から出力された発振信号の異なる電圧状態に応じて、スイッチング素子をともにオフさせる制御とスイッチング素子を交互にオンオフさせる制御とが容易に可能になる。
【００２５】
請求項３記載の負荷制御装置によれば、請求項２記載の負荷制御装置の効果に加えて、出力回路の低圧側の制御用スイッチング素子を介して信号線から出力される発振信号を、バッファ部により第１閾値よりも大きく第２閾値以下の所定のバッファ電圧とすることで、第１閾値が設定された第１コンパレータの出力を、出力回路側からの発振信号により容易に切り替えできるとともに、所定の信号によりキャンセル部がバッファ部のバッファ電圧をキャンセルして低圧側の制御用スイッチング素子を介して信号線から出力される発振信号を第１閾値以下の電圧状態とすることで、第２閾値が設定された第２コンパレータの出力を、出力回路側からの発振信号により容易に切り替えできる。
【００２６】
請求項４記載の照明器具によれば、請求項１ないし３いずれか一記載の負荷制御装置を備えることで、それぞれの効果を奏することができる。
【発明を実施するための最良の形態】
【００２７】
以下、本発明の一実施の形態を図面を参照して説明する。
【００２８】
図１は負荷制御装置の制御回路の要部およびドライバ回路の要部の回路図、図２は負荷制御装置の制御回路からの発振信号とドライバ回路の高圧側のスイッチング素子への出力とを示すタイミングチャート、図３は負荷制御装置の回路図、図４は負荷制御装置を適用した照明器具の斜視図である。
【００２９】
図３に示すように、負荷制御装置としての放電灯点灯装置10は、直流電源11の出力側に、この直流電源11からの直流出力(直流電圧)を高周波交流電圧に変換して出力するインバータ回路12が接続され、このインバータ回路12の出力側に、このインバータ回路12の出力周波数に応じた電圧を出力する共振回路13が接続され、この共振回路13の出力側に負荷としての例えば熱陰極形蛍光ランプなどの放電灯FLが着脱可能に装着される。また、この放電灯点灯装置10には、インバータ回路12の動作を制御する制御回路16と、この制御回路16から出力される発振信号によりインバータ回路12を駆動するドライバ回路17が設けられ、これら制御回路16とドライバ回路17とが、１つの信号線18により互いに接続されている。
【００３０】
直流電源11は、例えば電池電源、あるいは、１００Ｖ〜２４２Ｖなどの交流や直流の入力電源を整流化した直流電源などである。
【００３１】
インバータ回路12は、ハーフブリッジ形インバータであり、直列接続された２つのスイッチング素子としての電界効果トランジスタ(ＦＥＴ)Q1，Q2を有している。
【００３２】
共振回路13は、電界効果トランジスタQ2の両端に接続された直流カット用のコンデンサC1と、インダクタである共振インダクタンスＬとの直列回路を備えるとともに、この共振インダクタンスＬの出力側に、放電灯FLと並列にコンデンサである共振コンデンサC2が接続されている。
【００３３】
放電灯FLは、各フィラメントFLa，FLbに対して、コンデンサおよびインダクタなどの図示しない予熱回路が接続されている。
【００３４】
制御回路16は、図１に示すように、電界効果トランジスタQ3，Q4により構成される出力回路21と、電界効果トランジスタQ4に接続される電界効果トランジスタQ5およびこの電界効果トランジスタQ5に接続されるバッファ用コンパレータであるバッファBAを備えたバッファ部22と、電界効果トランジスタQ6，Q7により構成され出力回路21と信号線18に接続される出力端子OUTとの間に接続される停止制御回路23とを有している。
【００３５】
出力回路21は、高圧側の電界効果トランジスタQ3と、図示しない発信手段である発振器側からの信号OSCにより低圧側の電界効果トランジスタQ4とのスイッチング動作をすることで、発振信号を出力可能なものである。ここで、信号OSCは、例えばハイレベルとローレベルとを交互に繰り返すパルス状の信号である。
【００３６】
電界効果トランジスタQ3は、制御用スイッチング素子としての例えばｐチャネル型のＭＯＳＦＥＴであり、ソースが正出力電圧である５．０Ｖ側と接続され、ドレインが電界効果トランジスタQ6のソースと接続され、ゲートが電界効果トランジスタQ4のゲート、および、発振器側と接続されている。
【００３７】
電界効果トランジスタQ4は、制御用スイッチング素子としての例えばｎチャネル型のＭＯＳＦＥＴであり、ドレインが電界効果トランジスタQ6，Q7のドレインとそれぞれ接続され、ソースがバッファ部22の電界効果トランジスタQ5のドレインと接続されている。
【００３８】
バッファ部22は、出力回路21の低圧側の電界効果トランジスタQ5から信号線18へと出力される発振信号をバッファ電圧(クランプ電圧)、例えば１．５Ｖとするものである。
【００３９】
電界効果トランジスタQ5は、キャンセル用スイッチング素子としての例えばｎチャネル型のＭＯＳＦＥＴであり、ソースがグランド電位と接続され、ドレインが抵抗器R1を介して５．０Ｖと接続され、かつ、ゲートがバッファBAの出力端子と接続されている。
【００４０】
バッファBAは、非反転入力端子が電界効果トランジスタQ4，Q5の接続点に接続され、反転入力端子が所定のバッファ電圧に接続され、かつ、負電源入力端子がグランド電位に接続されている。
【００４１】
停止制御回路23は、図示しない停止信号出力手段からの所定の信号STOPに応じて、出力回路21からの発振信号を最も低い電圧状態であるグランドレベル、例えば０．５Ｖ以下とする状態と、他の２つの電圧状態、例えば１．５Ｖと５Ｖとのそれぞれの状態とを切り替えるものである。
【００４２】
電界効果トランジスタQ6は、停止制御用スイッチング素子としての例えばｐチャネル型のＭＯＳＦＥＴであり、また、電界効果トランジスタQ7は、停止制御用スイッチング素子としての例えばｎチャネル型のＭＯＳＦＥＴであり、それぞれのドレインが制御回路16の出力端子OUTと接続され、それぞれのゲートが停止信号出力手段側と接続されている。さらに、電界効果トランジスタQ7のソースは、グランド電位に接続されている。
【００４３】
ここで、電界効果トランジスタQ7は、停止信号出力手段からの所定の信号STOPによりバッファ部22のバッファ電圧をキャンセルするキャンセル部となっている。
【００４４】
この結果、制御回路16は、停止信号出力手段からの信号STOPがローレベルのとき、図２に示すように、例えば１．５Ｖと５Ｖとを交互に繰り返すパルス状の発振信号を信号線18(図１)を介してドライバ回路17(図１)の入力端子INへと出力し、停止信号出力手段からの信号STOPがハイレベルのとき、０．５Ｖ以下の発振信号を信号線18(図１)を介してドライバ回路17(図１)の入力端子INへと出力するように構成されている。
【００４５】
一方、ドライバ回路17は、図１に示すように、信号線18と接続される入力端子INに対して、抵抗器R2と、第１コンパレータIC1と、第２コンパレータIC2とが並列に接続され、この第２コンパレータIC2の出力側が制御部であるコントロール部Ｃに接続されている。コントロール部Ｃには、電源電圧端子Vccに接続された不足電圧を検出する不足電圧検出部28が接続され、電源電圧端子Vccには、さらにダイオードＤを介して定電圧部29が接続されている。また、コントロール部Ｃの出力側は、レベルシフト用のレベルシフト回路32を介して高圧側の電界効果トランジスタQ1(図３)の駆動用の高圧側駆動部であるＨドライバ33と接続されているとともに、低圧側の電界効果トランジスタQ2(図３)の駆動用の低圧側駆動部であるＬドライバ34と接続されている。すなわち、このドライバ回路17は、内部に発振器を有さない単ドライバである。
【００４６】
第１コンパレータIC1は、信号線18を介して制御回路16から出力された発振信号のうち、最も低い電圧状態、すなわちグランドレベルの電圧状態のとき、すなわち、所定の信号STOPがハイレベルになった状態での制御回路16側からの発振信号によりコントロール部Ｃを停止させて電界効果トランジスタQ1，Q2をともにオフさせるためのもので、反転入力端子が、第１閾値を設定するための第１閾値設定部37の正電圧側と接続され、非反転入力端子が、入力端子INに接続され、出力端子がフィルタ回路38を介してコントロール部Ｃへと接続されている。
【００４７】
ここで、第１コンパレータIC1は、例えばハイレベル用とローレベル用とで第１閾値が異なる、いわゆるヒステリシスコンパレータであり、例えばハイレベル用が１Ｖに設定され、ローレベル用が０．５Ｖに設定されている。
【００４８】
第２コンパレータIC2は、信号線18を介して制御回路16から出力された発振信号のうち、最も低い電圧状態以外の２つの電圧状態、すなわち１．５Ｖと５Ｖとの電圧状態に応じて、電界効果トランジスタQ1，Q2を選択的にオンさせるためのもので、反転入力端子が、入力端子INと接続されているとともに、非反転入力端子が、第２閾値を設定するための第２閾値設定部39の正電圧側と接続されている。
【００４９】
ここで、第２コンパレータIC2は、例えばハイレベル用とローレベル用とで第２閾値が異なる、いわゆるヒステリシスコンパレータであり、例えばハイレベル用が４Ｖに設定され、ローレベル用が２Ｖに設定されている。
【００５０】
コントロール部Ｃは、例えば第２コンパレータIC2からの信号に対して所定のデッドタイムDT(図２)を生成するデッドタイム生成回路、各種論理ゲート、第２コンパレータIC2からの信号をレベルシフトするコントロール部レベルシフト回路、レベルシフト回路32に接続されるパルス生成回路、および、Ｌドライバ34に接続される遅延回路などを備えており、第１コンパレータIC1からの出力がローレベルであるときに各ドライバ33，34に対して停止動作をさせる信号を出力するように構成されている。
【００５１】
不足電圧検出部28は、不足電圧を検出した際に、コントロール部Ｃからの出力を、各ドライバ33，34に対して停止動作をさせる信号とするように構成されている。
【００５２】
レベルシフト回路32は、コントロール部Ｃの出力に対して、レベルシフト用スイッチング素子としての電界効果トランジスタQ8，Q9のゲートがそれぞれ接続され、これら電界効果トランジスタQ8，Q9のドレインが抵抗器R3，R4を介してブートストラップ端子VBに接続されて構成されている。
【００５３】
電界効果トランジスタQ8，Q9は、例えばｎチャネル型のＭＯＳＦＥＴであり、各ソースがグランド電位に接続され、各ドレインがＨドライバ33に接続されている。
【００５４】
Ｈドライバ33は、例えば図示しない不足電圧検出回路、フリップフロップ、論理ゲート、および、対をなすスイッチング素子をトーテンポール状に接続した高圧側出力部などを備えており、ブートストラップ端子VBおよび低電圧端子VSにそれぞれ接続され、出力側が高圧側出力端子HOUTに接続されている。
【００５５】
Ｌドライバ34は、例えば図示しないフリップフロップ、論理ゲート、および、対をなすスイッチング素子をトーテンポール状に接続した低圧側出力部などを備えており、電源電圧端子Vccおよびグランド端子GNDにそれぞれ接続され、出力側が低圧側出力端子LOUTに接続されている。
【００５６】
このように構成された放電灯点灯装置10は、図４に示すような照明器具に適用できる。この照明器具は、放電灯点灯装置10が配置された器具本体41、この器具本体41の両端に直管形の放電灯FLが装着されるソケット42などを備えている。
【００５７】
次に、上記一実施の形態の動作を説明する。
【００５８】
電源が投入されると、制御回路16はドライバ回路17を介して電界効果トランジスタQ1，Q2のスイッチング動作を制御してインバータ回路12を起動し、共振回路13によりインバータ回路12の出力周波数に対応して昇圧した電圧を出力し、予熱回路を用いてフィラメントFLa，FLbを予熱するなど、放電灯FLを適宜始動制御することで、放電灯FLが点灯に至る。
【００５９】
このとき、制御回路16において、通常動作時には、停止信号出力手段からの所定の信号STOPがローレベルとなっており、停止制御回路23において、電界効果トランジスタQ6がオン、電界効果トランジスタQ7がオフとなっている。
【００６０】
この状態で、発振器からの信号OSCにより、電界効果トランジスタQ3，Q4が選択的に交互にオンオフし、出力回路21から出力端子OUTおよび信号線18を介してドライバ回路17へと、信号OSCが反転された発振信号が出力される。
【００６１】
電界効果トランジスタQ3がオン(電界効果トランジスタQ4がオフ)となっている状態では、この電界効果トランジスタQ3に接続された５．０Ｖが電界効果トランジスタQ6を介して出力端子OUTへと出力される。
【００６２】
一方、電界効果トランジスタQ4がオン(電界効果トランジスタQ3がオフ)となっている状態では、バッファ部22のバッファBAにより電界効果トランジスタQ5を介して電圧がクランプされることで１．５Ｖが出力端子OUTへと出力される。
【００６３】
すなわち、出力端子OUTからは、図２に示すように、ハイレベルとして５．０Ｖ、ローレベルとして１．５Ｖの発振信号がドライバ回路17側へと出力される。
【００６４】
このとき、ドライバ回路17では、この発振信号が入力端子INから入力される。この発信信号は、１．５Ｖ／５．０Ｖで発振しているため、ハイレベル用の第１閾値が１．０Ｖに設定されている第１コンパレータIC1は、コントロール部Ｃへとハイレベル出力し、このコントロール部Ｃが動作される。
【００６５】
また、ハイレベル用の第２閾値が４Ｖ、ローレベル用の第２閾値が２Ｖに設定されている第２コンパレータIC2は、発振信号が２Ｖより小さい１．５Ｖのときローレベルと認識し、発振信号が４Ｖより大きい５Ｖのときハイレベルと認識してコントロール部Ｃへと出力する。
【００６６】
コントロール部Ｃでは、Ｈドライバ33およびＬドライバ34のいずれもオンしない空白期間となるデッドタイムDTが生成される。この後、コントロール部レベルシフト回路でレベルシフトされた信号は、Ｌドライバ34側には、遅延回路により所定時間遅延されて入力され、このＬドライバ34の低圧側出力部を介して低圧側出力端子LOUTにハイレベルとローレベルとが交互に出力され、Ｈドライバ33側には、パルス生成回路および高圧のレベルシフト回路32を通った上で、Ｈドライバ33の高圧側出力部を介して高圧側出力端子HOUTにハイレベルとローレベルとが交互に出力される。
【００６７】
この結果、電界効果トランジスタQ1，Q2が交互にスイッチングされる。
【００６８】
一方、何らかの異常が発生した場合、あるいは電源を遮断した場合など、インバータ回路12の電界効果トランジスタQ1，Q2をともにオフさせたい必要が生じた場合、制御回路16では、停止信号出力手段からの所定の信号STOPがハイレベルとなり、電界効果トランジスタQ6がオフされ、電界効果トランジスタQ7がオンされる。このため、バッファ部22がバイパスされてこのバッファ部22によるバッファ電圧がキャンセルされてグランドレベルまで引き下げられ、出力端子OUTからは０．５Ｖ以下の発振信号がドライバ回路17側へと出力される。
【００６９】
このとき、ドライバ回路17では、この発振信号が入力端子INから入力され、ローレベル用の第１閾値が０．５Ｖに設定されている第１コンパレータIC1は、コントロール部Ｃへとローレベル出力し、このコントロール部Ｃが各ドライバ33，34側へと、停止動作をするように信号を各ドライバ33，34側のフリップフロップなどへと出力する。
【００７０】
この結果、各ドライバ33，34から各出力端子HOUT，LOUTへとローレベル出力され、電界効果トランジスタQ1，Q2がともにオフされる。
【００７１】
なお、第１コンパレータIC1は、ハイレベル用の第１閾値が１．０Ｖに設定されているため、上記のように入力端子INから入力される発振信号が０．５Ｖ以下まで低下した後、入力端子INから再度１．０Ｖ以上の発振信号が入力されると、ローレベルと認識し、ドライバ回路17は通常動作に戻る。
【００７２】
以上のように、制御回路16とドライバ回路17とを１つの信号線18により接続し、制御回路16から出力された発信信号の３つの異なる電圧状態に応じて、ドライバ回路17で電界効果トランジスタQ1，Q2を交互にオンオフさせる制御と、電界効果トランジスタQ1，Q2をともにオフさせる制御とを可能とすることにより、電界効果トランジスタQ1，Q2をともに停止させるための停止制御用の端子(ピン)などをドライバ回路17側に別途設けることなく小型化に対応しつつ、電界効果トランジスタQ1，Q2を、例えば異常時などのインバータ回路12の停止時にともにオフさせることが可能になり、安全性をより向上できる。
【００７３】
また、第１閾値を設定した第１コンパレータIC1により、信号線18を介して制御回路16から出力された発振信号が最も低いグランドレベルの電圧状態に基づいて電界効果トランジスタQ1，Q2をともにオフさせ、第１閾値よりも大きい第２閾値を設定した第２コンパレータIC2により、信号線18を介して制御回路16から出力された発振信号の残りの他の電圧状態、すなわち１．５Ｖと５Ｖとで電界効果トランジスタQ1，Q2を選択的にオンさせることで、制御回路16から出力された発振信号の異なる電圧状態に応じて、電界効果トランジスタQ1，Q2をともにオフさせる制御と電界効果トランジスタQ1，Q2を交互にオンオフさせる制御とが容易に可能になる。
【００７４】
さらに、出力回路21の低圧側の電界効果トランジスタQ4を介して信号線18から出力される発振信号を、バッファ部22により第１閾値よりも大きく第２閾値以下、例えば１．５Ｖのバッファ電圧とすることで、第１閾値が設定された第１コンパレータIC1の出力を、出力回路21側からの発振信号により容易に切り替えできるとともに、停止信号出力手段からの所定の信号STOPにより電界効果トランジスタQ7がオンされてバッファ部22のバッファ電圧をキャンセルし、低圧側の電界効果トランジスタQ4を介して信号線18から出力される発振信号を第１閾値以下、例えばグランドレベルの電圧状態とすることで、第２閾値が設定された第２コンパレータIC2の出力を、出力回路21側からの発振信号により容易に切り替えできる。
【００７５】
そして、このような放電灯点灯装置10を備えることで、照明器具は、小型化に対応しつつ、インバータ回路12の停止時に電界効果トランジスタQ1，Q2をともにオフさせて安全性をより向上できる。
【００７６】
なお、上記一実施の形態において、負荷としては放電灯FLに限定されるものではない。
【００７７】
また、制御回路16側は、互いに異なる少なくとも３つの電圧状態を有する発振信号を出力できれば、任意に構成できる。
【００７８】
同様に、ドライバ回路17側は、制御回路16側からの発振信号の３つの異なる電圧状態に対応して電界効果トランジスタQ1，Q2を選択的に交互にオンオフさせる制御と、電界効果トランジスタQ1，Q2をともにオフさせる制御とを可能とすれば、任意の構成とすることができる。
【００７９】
さらに、発振信号の互いに異なる３つの電圧状態は、０．５Ｖ以下、１．５Ｖおよび５．０Ｖだけでなく、他の任意の値とすることができる。
【００８０】
したがって、バッファ部22でのバッファ電圧も、１．５Ｖに限定されるものではなく、各コンパレータIC1，IC2の各閾値電圧も、発振信号の電圧状態に応じて設定すればよい。
【図面の簡単な説明】
【００８１】
【図１】本発明の一実施の形態を示す負荷制御装置の制御回路の要部およびドライバ回路の要部の回路図である。
【図２】同上負荷制御装置の制御回路からの発振信号とドライバ回路の高圧側のスイッチング素子への出力とを示すタイミングチャートである。
【図３】同上負荷制御装置の回路図である。
【図４】同上負荷制御装置を適用した照明器具の斜視図である。
【符号の説明】
【００８２】
10    負荷制御装置としての放電灯点灯装置
11    直流電源
12    インバータ回路
13    共振回路
16    制御回路
17    ドライバ回路
18    信号線
21    出力回路
22    バッファ部
41    器具本体
FL    負荷としての放電灯
IC1   第１コンパレータ
IC2   第２コンパレータ
Q1，Q2    スイッチング素子としての電界効果トランジスタ
Q3，Q4    制御用スイッチング素子としての電界効果トランジスタ
Q7    キャンセル部としての電界効果トランジスタ
【図１】
2010061937.tif 000003
【図２】
2010061937.tif 000004
【図３】
2010061937.tif 000005
【図４】
2010061937.tif 000006